(57)【要約】【課題】異なるネットワークのアーキテクチャを具備するネットワーク事業者間でローミングを実施することを可能とする。【解決手段】本発明に係るＩＷＦは、ＤｉａｍｅｔｅｒによってｖＰＣＲＦに接続されているｈＰＣＲＦ機能１２は、ｖＰＣＲＦから受信した移動局ＵＥの接続要求に応じて移動局ＵＥの暫定ＱｏＳ情報を決定し、暫定ＱｏＳ情報を含む接続応答をｖＰＣＲＦに送信し、ＧＴＰによってＰ-ＧＷに接続されているＳ-ＧＷ機能１４は、Ｐ-ＧＷに対して、暫定ＱｏＳ情報を含む移動局ＵＥの接続要求を送信し、ｈＰＣＲＦ機能１２は、ｖＰＣＲＦに対して、Ｐ-ＧＷから受信した接続応答に含まれている移動局ＵＥの正式ＱｏＳ情報を含む更新要求を送信し、ＰＭＩＰによってＳ-ＧＷに接続されているＰ-ＧＷ機能１１は、Ｓ-ＧＷに対して、正式ＱｏＳ情報を含まない接続応答を送信する。【選択図】図３
2011004255.tif 000002
【特許請求の範囲】
【請求項１】
サービス品質情報を送信することができない第１プロトコルによってインターワーキング装置に接続されている第１ゲートウェイ装置が、サービス品質情報を送信することができる第２プロトコルによって該インターワーキング装置及び該第１ゲートウェイ装置に接続されている第１管理装置に対して、該第２プロトコル用制御信号として移動局の接続要求を送信する工程と、
前記第１管理装置が、前記インターワーキング装置に対して、前記第２プロトコル用制御信号として前記移動局の接続要求を送信する工程と、
前記インターワーキング装置が、受信した前記移動局の接続要求に応じて、該移動局の暫定サービス品質情報を決定し、該暫定サービス品質情報を含む接続応答を、前記第２プロトコル用制御信号として前記第１管理装置に送信する工程と、
前記第１管理装置が、受信した前記暫定サービス品質情報を含む接続応答を、前記第２プロトコル用制御信号として前記第１ゲートウェイ装置に送信する工程と、
前記第１ゲートウェイ装置が、受信した前記接続応答に含まれる前記暫定サービス品質情報を記憶し、該暫定サービス品質情報を含む前記移動局の接続要求を、前記第１プロトコル用制御信号として前記インターワーキング装置に送信する工程と、
前記インターワーキング装置が、受信した前記接続要求に含まれる前記暫定サービス品質情報を記憶し、サービス品質情報を送信することができる第３プロトコルによって該インターワーキング装置に接続されている第２ゲートウェイ装置に対して、該暫定サービス品質情報を含む前記移動局の接続要求を、該第３プロトコル用制御信号として送信する工程と、
前記第２ゲートウェイ装置が、前記第２プロトコルによって該第２ゲートウェイ装置に接続されている第２管理装置に対して、前記暫定サービス品質情報を含む前記移動局の接続要求を、該第２プロトコル用制御信号として送信する工程と、
前記第２管理装置が、受信した前記移動局の接続要求に応じて、該移動局の正式サービス品質情報を抽出し、該正式サービス品質情報を含む接続応答を、前記第２プロトコル用制御信号として前記第２ゲートウェイ装置に送信する工程と、
前記第２ゲートウェイ装置が、前記正式サービス品質情報を含む接続応答を、前記第３プロトコル用制御信号として前記インターワーキング装置に送信する工程と、
前記インターワーキング装置が、前記第１管理装置に対して、前記第２プロトコル用制御信号として、前記正式サービス品質情報を含む更新要求を送信し、前記第１ゲートウェイ装置に対して、前記第１プロトコル用制御信号として、該正式サービス品質情報を含まない接続応答を送信する工程と、
前記第１管理装置が、前記第１ゲートウェイ装置に対して、前記第２プロトコル用制御信号として、前記正式サービス品質情報を含む更新要求を送信する工程と、
前記第１ゲートウェイ装置が、受信した前記更新要求に応じて、記憶している前記暫定サービス品質情報を前記正式サービス品質情報に更新する工程とを有することを特徴とする移動通信方法。
【請求項２】
交換機が、前記移動局の接続要求を受信した場合に、ＤＮＳに対して、前記第２ゲートウェイ装置のアドレス解決要求を送信する工程と、
前記ＤＮＳが、前記第２ゲートウェイ装置のアドレス解決要求に応じて、前記交換機に対して、前記インターワーキング装置のアドレスを含むアドレス解決応答を送信する工程とを有することを特徴とする請求項１に記載の移動通信方法。
【請求項３】
交換機が、前記インターワーキング装置のアドレスを直接保持しており、前記移動局の接続要求を受信した場合に、ＤＮＳを介することなく、該インターワーキング装置のアドレスを、前記第２ゲートウェイ装置のアドレス解決に用いる工程を有することを特徴とする請求項１に記載の移動通信方法。
【請求項４】
前記インターワーキング装置は、記憶している前記暫定サービス品質情報と、受信した前記接続応答に含まれる前記正式サービス品質情報とが異なる場合のみ、前記第１管理装置に対して、前記第２プロトコル用制御信号として、前記正式サービス品質情報を含む更新要求を送信することを特徴とする請求項１又は２に記載の移動通信方法。
【請求項５】
前記インターワーキング装置は、前記移動局の接続先及び前記移動局に係る情報の少なくとも１つに基づいて、前記暫定サービス品質情報を決定することを特徴とする請求項１乃至４のいずれか一項に記載の移動通信方法。
【請求項６】
インターワーキング装置と、
サービス品質情報を送信することができない第１プロトコルによって前記インターワーキング装置に接続されている第１ゲートウェイ装置と、
サービス品質情報を送信することができる第２プロトコルによって前記インターワーキング装置及び前記第１ゲートウェイ装置に接続されている第１管理装置と、
サービス品質情報を送信することができる第３プロトコルによって前記インターワーキング装置に接続されている第２ゲートウェイ装置と、
前記第２プロトコルによって前記第２ゲートウェイ装置に接続されている第２管理装置とを具備しており、
前記第１ゲートウェイ装置は、前記第１管理装置に対して、前記第２プロトコル用制御信号として移動局の接続要求を送信するように構成されており、
前記第１管理装置は、前記インターワーキング装置に対して、前記第２プロトコル用制御信号として前記移動局の接続要求を送信するように構成されており、
前記インターワーキング装置は、受信した前記移動局の接続要求に応じて、該移動局の暫定サービス品質情報を決定し、該暫定サービス品質情報を含む接続応答を、前記第２プロトコル用制御信号として前記第１管理装置に送信するように構成されており、
前記第１管理装置は、受信した前記暫定サービス品質情報を含む接続応答を、前記第２プロトコル用制御信号として前記第１ゲートウェイ装置に送信するように構成されており、
前記第１ゲートウェイ装置は、受信した前記接続応答に含まれる前記暫定サービス品質情報を記憶し、該暫定サービス品質情報を含む前記移動局の接続要求を、前記第１プロトコル用制御信号として前記インターワーキング装置に送信するように構成されており、
前記インターワーキング装置は、受信した前記接続要求に含まれる前記暫定サービス品質情報を記憶し、前記第２ゲートウェイ装置に対して、該暫定サービス品質情報を含む前記移動局の接続要求を、前記第３プロトコル用制御信号として送信するように構成されており、
前記第２ゲートウェイ装置は、前記第２管理装置に対して、前記暫定サービス品質情報を含む前記移動局の接続要求を、該第２プロトコル用制御信号として送信するように構成されており、
前記第２管理装置は、受信した前記移動局の接続要求に応じて、該移動局の正式サービス品質情報を抽出し、該正式サービス品質情報を含む接続応答を、前記第２プロトコル用制御信号として前記第２ゲートウェイ装置に送信するように構成されており、
前記第２ゲートウェイ装置は、前記正式サービス品質情報を含む接続応答を、前記第３プロトコル用制御信号として前記インターワーキング装置に送信するように構成されており、
前記インターワーキング装置は、前記第１管理装置に対して、前記第２プロトコル用制御信号として、前記正式サービス品質情報を含む更新要求を送信し、前記第１ゲートウェイ装置に対して、前記第１プロトコル用制御信号として、該正式サービス品質情報を含まない接続応答を送信するように構成されており、
前記第１管理装置は、前記第１ゲートウェイ装置に対して、前記第２プロトコル用制御信号として、前記正式サービス品質情報を含む更新要求を送信するように構成されており、
前記第１ゲートウェイ装置は、受信した前記更新要求に応じて、記憶している前記暫定サービス品質情報を前記正式サービス品質情報に更新するように構成されていることを特徴とする移動通信システム。
【請求項７】
交換機と、ＤＮＳとを更に具備しており、
前記交換機は、前記移動局の接続要求を受信した場合に、前記ＤＮＳに対して、前記第２ゲートウェイ装置のアドレス解決要求を送信するように構成されており、
前記ＤＮＳは、前記第２ゲートウェイ装置のアドレス解決要求に応じて、前記交換機に対して、前記インターワーキング装置のアドレスを含むアドレス解決応答を送信するように構成されていることを特徴とする請求項６に記載の移動通信システム。
【請求項８】
交換機と、ＤＮＳとを更に具備しており、
前記交換機は、前記インターワーキング装置のアドレスを直接保持しており、前記移動局の接続要求を受信した場合に、前記ＤＮＳを介することなく、該インターワーキング装置のアドレスを、前記第２ゲートウェイ装置のアドレス解決に用いるように構成されていることを特徴とする請求項６に記載の移動通信システム。
【請求項９】
前記インターワーキング装置は、記憶している前記暫定サービス品質情報と、受信した前記接続応答に含まれる前記正式サービス品質情報とが異なる場合のみ、前記第１管理装置に対して、前記第２プロトコル用制御信号として、前記正式サービス品質情報を含む更新要求を送信するように構成されていることを特徴とする請求項６又は７に記載の移動通信システム。
【請求項１０】
前記インターワーキング装置は、前記移動局の接続先及び前記移動局に係る情報の少なくとも１つに基づいて、前記暫定サービス品質情報を決定するように構成されていることを特徴とする請求項６乃至９のいずれか一項に記載の移動通信システム。
【請求項１１】
サービス品質情報を送信することができない第１プロトコルによって第１ゲートウェイ装置に接続されている第２ゲートウェイ装置機能と、
サービス品質情報を送信することができる第２プロトコルによって第１管理装置に接続されている第２管理装置機能と、
サービス品質情報を送信することができる第３プロトコルによって第２ゲートウェイ装置に接続されている第１ゲートウェイ装置機能とを具備しており、
前記第２管理装置機能は、前記第１管理装置から受信した移動局の接続要求に応じて、該移動局の暫定サービス品質情報を決定し、該暫定サービス品質情報を含む接続応答を、前記第２プロトコル用制御信号として前記第１管理装置に送信するように構成されており、
前記第１ゲートウェイ装置機能は、前記第２ゲートウェイ装置に対して、前記暫定サービス品質情報を含む前記移動局の接続要求を、前記第３プロトコル用制御信号として送信するように構成されており、
前記第２管理装置機能は、前記第１管理装置に対して、前記第２プロトコル用制御信号として、前記第２ゲートウェイ装置から受信した接続応答に含まれている前記移動局の正式サービス品質情報を含む更新要求を送信するように構成されており、
前記第２ゲートウェイ装置機能は、前記第１ゲートウェイ装置に対して、前記第１プロトコル用制御信号として、前記正式サービス品質情報を含まない接続応答を送信するように構成されていることを特徴とするインターワーキング装置。
【請求項１２】
前記第２管理装置機能は、記憶されている前記暫定サービス品質情報と、受信した前記接続応答に含まれる前記正式サービス品質情報とが異なる場合のみ、前記第１管理装置に対して、前記第２プロトコル用制御信号として、前記正式サービス品質情報を含む更新要求を送信するように構成されていることを特徴とする請求項１１に記載のインターワーキング装置。
【請求項１３】
前記第２管理装置機能は、前記移動局の接続先及び前記移動局に係る情報の少なくとも１つに基づいて、前記暫定サービス品質情報を決定するように構成されていることを特徴とする請求項１１又は１２に記載のインターワーキング装置。
【発明の詳細な説明】
【技術分野】
【０００１】
本発明は、移動通信方法、移動通信システム及びインターワーキング装置に関する。
【背景技術】
【０００２】
ＬＴＥ（Ｌｏｎｇ  Ｔｅｒｍ  Ｅｖｏｌｕｔｉｏｎ）方式の無線アクセスネットワークを収容可能なＥＰＣ（Ｅｖｏｌｖｅｄ  Ｐａｃｋｅｔ  Ｃｏｒｅ）ネットワークには、ＭＭＥ（Ｍｏｂｉｌｉｔｙ  Ｍａｎａｇｅｍｅｎｔ  Ｅｎｔｉｔｙ）や、ＨＳＳ（Ｈｏｍｅ  Ｓｕｂｓｃｒｉｂｅｒ  Ｓｅｒｖｅｒ）や、Ｓ-ＧＷ（Ｓｅｒｖｉｎｇ  Ｇａｔｅｗａｙ）や、Ｐ-ＧＷ（Ｐａｃｋｅｔ  Ｄａｔａ  Ｎｅｔｗｏｒｋ-Ｇａｔｅｗａｙ）や、ｖＰＣＲＦ（ｖｉｓｉｔｅｄ  Ｐｏｌｉｃｙ  ａｎｄ  Ｃｈａｒｇｉｎｇ  Ｒｕｌｅｓ  Ｆｕｎｃｔｉｏｎ）や、ｈＰＣＲＦ（ｈｏｍｅ  Ｐｏｌｉｃｙ  ａｎｄ  Ｃｈａｒｇｉｎｇ  Ｒｕｌｅｓ  Ｆｕｎｃｔｉｏｎ）等が設けられている。
【０００３】
また、ＥＰＣネットワークでは、Ｓ-ＧＷとＰ-ＧＷとの間では、ＧＴＰ（ＧＰＲＳ  Ｔｕｎｎｅｌｉｎｇ  Ｐｒｏｔｏｃｏｌ）又はＰＭＩＰ（Ｐｒｏｘｙ  Ｍｏｂｉｌｅ  ＩＰ）のいずれかのプロトコルが用いられるように構成されている。
【先行技術文献】
【非特許文献】
【０００４】
【非特許文献１】３ＧＰＰ  ＴＳ２３.４０１
【非特許文献２】３ＧＰＰ  ＴＳ２３.４０２
【非特許文献３】３ＧＰＰ  ＴＳ２９.０６０
【非特許文献４】３ＧＰＰ  ＴＳ２９.２７４
【非特許文献５】３ＧＰＰ  ＴＳ２９.２７５
【非特許文献６】３ＧＰＰ  ＴＳ２３.２０３
【非特許文献７】３ＧＰＰ  ＴＳ２３.３０３
【発明の概要】
【発明が解決しようとする課題】
【０００５】
図７に、Ｓ-ＧＷとＰ-ＧＷとの間でＧＴＰが用いられている場合に、ネットワーク事業者Ａとネットワーク事業者Ｂとを接続してローミングを実施する場合のＥＰＣネットワークのアーキテクチャについて示し、図８に、Ｓ-ＧＷとＰ-ＧＷとの間でＰＭＩＰが用いられている場合に、ネットワーク事業者Ａとネットワーク事業者Ｂとを接続してローミングを実施する場合のＥＰＣネットワークのアーキテクチャについて示す。
【０００６】
このように、Ｓ-ＧＷとＰ-ＧＷとの間でＧＴＰが用いられているＥＰＣネットワークのアーキテクチャと、Ｓ-ＧＷとＰ-ＧＷとの間でＰＭＩＰが用いられているＥＰＣネットワークのアーキテクチャとは異なる。
【０００７】
したがって、Ｓ-ＧＷとＰ-ＧＷとの間でＧＴＰが用いられているＥＰＣネットワークと、Ｓ-ＧＷとＰ-ＧＷとの間でＰＭＩＰが用いられているＥＰＣネットワークとを直接接続して、ローミングを実施することができないという問題点があった。
【０００８】
そこで、本発明は、上述の課題に鑑みてなされたものであり、異なるネットワークのアーキテクチャを具備するネットワーク事業者間でローミングを実施することを可能とする移動通信方法、移動通信システム及びインターワーキング装置を提供することを目的とする。
【課題を解決するための手段】
【０００９】
本発明の第１の特徴は、移動通信方法であって、サービス品質情報を送信することができない第１プロトコルによってインターワーキング装置に接続されている第１ゲートウェイ装置が、サービス品質情報を送信することができる第２プロトコルによって該インターワーキング装置及び該第１ゲートウェイ装置に接続されている第１管理装置に対して、該第２プロトコル用制御信号として移動局の接続要求を送信する工程と、前記第１管理装置が、前記インターワーキング装置に対して、前記第２プロトコル用制御信号として前記移動局の接続要求を送信する工程と、前記インターワーキング装置が、受信した前記移動局の接続要求に応じて、該移動局の暫定サービス品質情報を決定し、該暫定サービス品質情報を含む接続応答を、前記第２プロトコル用制御信号として前記第１管理装置に送信する工程と、前記第１管理装置が、受信した前記暫定サービス品質情報を含む接続応答を、前記第２プロトコル用制御信号として前記第１ゲートウェイ装置に送信する工程と、前記第１ゲートウェイ装置が、受信した前記接続応答に含まれる前記暫定サービス品質情報を記憶し、該暫定サービス品質情報を含む前記移動局の接続要求を、前記第１プロトコル用制御信号として前記インターワーキング装置に送信する工程と、前記インターワーキング装置が、受信した前記接続要求に含まれる前記暫定サービス品質情報を記憶し、サービス品質情報を送信することができる第３プロトコルによって該インターワーキング装置に接続されている第２ゲートウェイ装置に対して、該暫定サービス品質情報を含む前記移動局の接続要求を、該第３プロトコル用制御信号として送信する工程と、前記第２ゲートウェイ装置が、前記第２プロトコルによって該第２ゲートウェイ装置に接続されている第２管理装置に対して、前記暫定サービス品質情報を含む前記移動局の接続要求を、該第２プロトコル用制御信号として送信する工程と、前記第２管理装置が、受信した前記移動局の接続要求に応じて、該移動局の正式サービス品質情報を抽出し、該正式サービス品質情報を含む接続応答を、前記第２プロトコル用制御信号として前記第２ゲートウェイ装置に送信する工程と、前記第２ゲートウェイ装置が、前記正式サービス品質情報を含む接続応答を、前記第３プロトコル用制御信号として前記インターワーキング装置に送信する工程と、前記インターワーキング装置が、前記第１管理装置に対して、前記第２プロトコル用制御信号として、前記正式サービス品質情報を含む更新要求を送信し、前記第１ゲートウェイ装置に対して、前記第１プロトコル用制御信号として、該正式サービス品質情報を含まない接続応答を送信する工程と、前記第１管理装置が、前記第１ゲートウェイ装置に対して、前記第２プロトコル用制御信号として、前記正式サービス品質情報を含む更新要求を送信する工程と、前記第１ゲートウェイ装置が、受信した前記更新要求に応じて、記憶している前記暫定サービス品質情報を前記正式サービス品質情報に更新する工程とを有することを要旨とする。
【００１０】
本発明の第２の特徴は、移動通信システムであって、インターワーキング装置と、サービス品質情報を送信することができない第１プロトコルによって前記インターワーキング装置に接続されている第１ゲートウェイ装置と、サービス品質情報を送信することができる第２プロトコルによって前記インターワーキング装置及び前記第１ゲートウェイ装置に接続されている第１管理装置と、サービス品質情報を送信することができる第３プロトコルによって前記インターワーキング装置に接続されている第２ゲートウェイ装置と、前記第２プロトコルによって前記第２ゲートウェイ装置に接続されている第２管理装置とを具備しており、前記第１ゲートウェイ装置は、前記第１管理装置に対して、前記第２プロトコル用制御信号として移動局の接続要求を送信するように構成されており、前記第１管理装置は、前記インターワーキング装置に対して、前記第２プロトコル用制御信号として前記移動局の接続要求を送信するように構成されており、前記インターワーキング装置は、受信した前記移動局の接続要求に応じて、該移動局の暫定サービス品質情報を決定し、該暫定サービス品質情報を含む接続応答を、前記第２プロトコル用制御信号として前記第１管理装置に送信するように構成されており、前記第１管理装置は、受信した前記暫定サービス品質情報を含む接続応答を、前記第２プロトコル用制御信号として前記第１ゲートウェイ装置に送信するように構成されており、前記第１ゲートウェイ装置は、受信した前記接続応答に含まれる前記暫定サービス品質情報を記憶し、該暫定サービス品質情報を含む前記移動局の接続要求を、前記第１プロトコル用制御信号として前記インターワーキング装置に送信するように構成されており、前記インターワーキング装置は、受信した前記接続要求に含まれる前記暫定サービス品質情報を記憶し、前記第２ゲートウェイ装置に対して、該暫定サービス品質情報を含む前記移動局の接続要求を、前記第３プロトコル用制御信号として送信するように構成されており、前記第２ゲートウェイ装置は、前記第２管理装置に対して、前記暫定サービス品質情報を含む前記移動局の接続要求を、該第２プロトコル用制御信号として送信するように構成されており、前記第２管理装置は、受信した前記移動局の接続要求に応じて、該移動局の正式サービス品質情報を抽出し、該正式サービス品質情報を含む接続応答を、前記第２プロトコル用制御信号として前記第２ゲートウェイ装置に送信するように構成されており、前記第２ゲートウェイ装置は、前記正式サービス品質情報を含む接続応答を、前記第３プロトコル用制御信号として前記インターワーキング装置に送信するように構成されており、前記インターワーキング装置は、前記第１管理装置に対して、前記第２プロトコル用制御信号として、前記正式サービス品質情報を含む更新要求を送信し、前記第１ゲートウェイ装置に対して、前記第１プロトコル用制御信号として、該正式サービス品質情報を含まない接続応答を送信するように構成されており、前記第１管理装置は、前記第１ゲートウェイ装置に対して、前記第２プロトコル用制御信号として、前記正式サービス品質情報を含む更新要求を送信するように構成されており、前記第１ゲートウェイ装置は、受信した前記更新要求に応じて、記憶している前記暫定サービス品質情報を前記正式サービス品質情報に更新するように構成されていることを要旨とする。
【００１１】
本発明の第３の特徴は、インターワーキング装置であって、サービス品質情報を送信することができない第１プロトコルによって第１ゲートウェイ装置に接続されている第２ゲートウェイ装置機能と、サービス品質情報を送信することができる第２プロトコルによって第１管理装置に接続されている第２管理装置機能と、サービス品質情報を送信することができる第３プロトコルによって第２ゲートウェイ装置に接続されている第１ゲートウェイ装置機能とを具備しており、前記第２管理装置機能は、前記第１管理装置から受信した移動局の接続要求に応じて、該移動局の暫定サービス品質情報を決定し、該暫定サービス品質情報を含む接続応答を、前記第２プロトコル用制御信号として前記第１管理装置に送信するように構成されており、前記第１ゲートウェイ装置機能は、前記第２ゲートウェイ装置に対して、前記暫定サービス品質情報を含む前記移動局の接続要求を、前記第３プロトコル用制御信号として送信するように構成されており、前記第２管理装置機能は、前記第１管理装置に対して、前記第２プロトコル用制御信号として、前記第２ゲートウェイ装置から受信した接続応答に含まれている前記移動局の正式サービス品質情報を含む更新要求を送信するように構成されており、前記第２ゲートウェイ装置機能は、前記第１ゲートウェイ装置に対して、前記第１プロトコル用制御信号として、前記正式サービス品質情報を含まない接続応答を送信するように構成されていることを要旨とする。
【発明の効果】
【００１２】
以上説明したように、本発明によれば、異なるネットワークのアーキテクチャを具備するネットワーク事業者間でローミングを実施することを可能とする移動通信方法、移動通信システム及びインターワーキング装置を提供することができる。
【図面の簡単な説明】
【００１３】
【図１】本発明の第１の実施形態に係る移動通信システムの全体構成図である。
【図２】本発明の第１の実施形態に係るＩＷＦの機能ブロック図である。
【図３】本発明の第１の実施形態に係る移動通信システムの動作を説明するための図である。
【図４】本発明の第１の実施形態に係る移動通信システムの動作を説明するための図である。
【図５】本発明の第１の実施形態に係る移動通信システムの動作を説明するための図である。
【図６】本発明の第１の実施形態に係る移動通信システムの動作を説明するための図である。
【図７】従来の移動通信システムの全体構成図である。
【図８】従来の移動通信システムの全体構成図である。
【発明を実施するための形態】
【００１４】
（本発明の第１の実施形態に係る移動通信システムの構成）
図１及び図２を参照して、本発明の第１の実施形態に係る移動通信システムの構成について説明する。
【００１５】
図１に示すように、本実施形態に係る移動通信システムは、ＬＴＥ方式の無線アクセスネットワークを収容可能なＥＰＣネットワークを具備している。
【００１６】
具体的には、本実施形態に係る移動通信システムでは、移動局ＵＥ（不図示）のホームネットワークであるＨＰＬＭＮ（Ｈｏｍｅ  Ｐｕｂｌｉｃ  Ｌａｎｄ  Ｍｏｂｉｌｅ  Ｎｅｔｗｏｒｋ）と移動局の訪問先ネットワークであるＶＰＬＭＮ（Ｖｉｓｉｔｅｄ  Ｐｕｂｌｉｃ  Ｌａｎｄ  Ｍｏｂｉｌｅ  Ｎｅｔｗｏｒｋ）との間でローミングが実施されるように構成されている。
【００１７】
ＶＰＬＭＮは、Ｓ-ＧＷとＰ-ＧＷとの間でＰＭＩＰを用いているネットワーク事業者のＥＰＣネットワークであり、図１の例では、ＬＴＥ方式のネットワークや、ＤＮＳ（Ｄｏｍａｉｎ  Ｎａｍｅ  Ｓｅｒｖｅｒ）＃１や、ＭＭＥや、ＨＳＳや、Ｓ-ＧＷや、ｖＰＣＲＦ等を具備している。
【００１８】
一方、ＨＰＬＭＮは、Ｓ-ＧＷとＰ-ＧＷとの間でＧＴＰを用いているネットワーク事業者のＥＰＣネットワークであり、図１の例では、ＤＮＳ＃２や、ｈＰＣＲＦや、Ｐ-ＧＷや、外部ネットワーク等を具備している。
【００１９】
ここで、ＭＭＥは、移動局ＵＥの接続に必要な加入者情報を保持しており、ＬＴＥ方式の無線アクセスネットワークにおけるＣ-Ｐｌａｎｅ機能を提供するように構成されている交換機である。
【００２０】
Ｓ-ＧＷは、ＬＴＥ方式の無線アクセスネットワークにおけるＵ-Ｐｌａｎｅ機能を提供するように構成されているパケット交換機であり、ＬＴＥ方式の無線基地局ｅＮＢ（不図示）を跨ぐハンドオーバにおけるアンカーノードである。
【００２１】
Ｐ-ＧＷは、外部ネットワークへの接続ポイントであり、Ｓ-ＧＷを跨ぐハンドオーバにおけるアンカーノードである。
【００２２】
ＨＳＳは、移動局ＵＥに関する契約情報や、移動局ＵＥの位置情報等を管理するように構成されている加入者データベースである。
【００２３】
ｈＰＣＲＦは、移動局ＵＥのＱｏＳ情報や課金情報等を管理するように構成されている第２管理装置であり、ｖＰＣＲＦは、移動局ＵＥのＱｏＳ情報や課金情報等を管理するように構成されている第１管理装置である。なお、ｖＰＣＲＦは、ｈＰＣＲＦによって管理されている移動局ＵＥのＱｏＳ情報や課金情報等を取得するように構成されている。
【００２４】
なお、本実施形態に係る移動通信システムには、更に、ＶＰＬＭＮにおけるＳ-ＧＷやｖＰＣＲＦや、ＨＰＬＭＮにおけるＰ-ＧＷやＤＮＳ＃２等に接続されているＩＷＦが設けられている。
【００２５】
ここで、ＩＷＦは、ＰＭＩＰ（第１プロトコル）によってＶＰＬＭＮにおけるＳ-ＧＷに接続されており、ＧＴＰ（第３プロトコル）によってＨＰＬＭＮにおけるＰ-ＧＷに接続されており、Ｄｉａｍｅｔｅｒ（第２プロトコル）によってｖＰＣＲＦに接続されているインターワーキング装置である。
【００２６】
また、Ｓ-ＧＷとｖＰＣＲＦとは、Ｄｉａｍｅｔｅｒによって接続されており、Ｐ-ＧＷとｈＰＣＲＦとは、Ｄｉａｍｅｔｅｒによって接続されている。
【００２７】
なお、ＧＴＰ及びＤｉａｍｅｔｅｒは、移動局のＱｏＳ情報（サービス品質情報）を送信することができるプロトコルであり、ＰＭＩＰは、移動局のＱｏＳ情報を送信することができないプロトコルである。
【００２８】
図２に示すように、ＩＷＦは、Ｐ-ＧＷ機能１１と、ｈＰＣＲＦ機能１２と、変換機能１３と、Ｓ-ＧＷ機能１４とを具備している。
【００２９】
Ｐ-ＧＷ機能１１は、ＶＰＬＭＮにおけるＳ-ＧＷに対して、ＰＭＩＰを介してＰ-ＧＷとしての振る舞いをするように構成されている。
【００３０】
ｈＰＣＲＦ機能１２は、ＶＰＬＭＮにおけるｖＰＣＲＦに対して、Ｄｉａｍｅｔｅｒを介してｈＰＣＲＦとしての振る舞いをするように構成されている。
【００３１】
Ｓ-ＧＷ機能１４は、ＨＰＬＭＮにおけるＰ-ＧＷに対して、ＧＴＰを介してＳ-ＧＷとしての振る舞いをするように構成されている。
【００３２】
変換機能１３は、ＧＴＰ-Ｃ信号（ＧＴＰ用制御信号）とＰＭＩＰ用制御信号とＤｉａｍｅｔｅｒ用制御信号との間の変換処理を行うように構成されている。また、変換機能１３は、ＧＴＰ-Ｕ信号とＰＭＩＰ用データ信号とＤｉａｍｅｔｅｒ用データ信号との間の変換処理を行うように構成されていてもよい。
【００３３】
（本発明の第１の実施形態に係る移動通信システムの動作）
以下、図３乃至図６を参照して、本発明の第１の実施形態に係る移動通信システムの動作、具体的には、移動局ＵＥの接続処理（例えば、発信処理やアタッチ処理等）について説明する。
【００３４】
ＭＭＥは、ステップＳ１０１において、移動局ＵＥの接続要求を受信すると、ステップＳ１０２において、ＤＮＳ＃１に対して、移動局ＵＥの接続要求に係るネットワークのＡＰＮ（Ａｃｃｅｓｓ  Ｐｏｉｎｔ  Ｎａｍｅ）を含むＤＮＳ要求（Ｐ-ＧＷのアドレス解決要求）を送信する。
【００３５】
ここで、ＤＮＳ＃１は、ＤＮＳ要求に含まれるＡＰＮに基づいて、移動局ＵＥの接続要求が特定のネットワーク（図１の例では、ＨＰＬＭＮ）に対するものであるか否かについて判定する。
【００３６】
ＤＮＳ＃１は、移動局ＵＥの接続要求が特定のネットワークに対するものであると判定した場合、ＭＭＥに対して、Ｓ-ＧＷのアドレス及びＩＷＦのＰ-ＧＷ機能１１のアドレスを含むＤＮＳ応答を送信する。
【００３７】
ＭＭＥは、ＡＰＮに対応するＰ-ＧＷ及びＳ-ＧＷの両方のアドレス、又は、Ｐ-ＧＷのアドレスを予め保持していてもよい。前者の場合、上述のステップＳ１０２が発生しないか、或いは、上述のステップＳ１０２が発生した場合としても、ＭＭＥは、ＤＮＳ＃１から取得したＰ-ＧＷのアドレスは利用しない。後者の場合、ＭＭＥは、ステップ１０２同様の手順を用いてＳ-ＧＷのアドレスのみの変換を実施する。
【００３８】
ステップＳ１０３において、ＭＭＥは、Ｓ-ＧＷに対して、上述のＡＰＮ及びＰ-ＧＷ機能１１のアドレスを含む移動局ＵＥの接続要求を送信する。
【００３９】
ステップＳ１０４において、Ｓ-ＧＷは、ＤＮＳ＃１に対して、ｖＰＣＲＦのアドレス解決要求としてのＤＮＳ要求を送信することによって、ｖＰＣＲＦのアドレスを取得する。
【００４０】
また、Ｓ-ＧＷは、ＡＰＮ等の接続先情報に対応するｖＰＣＲＦのアドレスを予め保持していてもよい。この場合は、上述のステップＳ１０４が発生しないか、或いは、上述のステップ１０４が発生した場合としても、Ｓ-ＧＷは、ＤＮＳ＃１から取得したｖＰＣＲＦのアドレスを利用しない。
【００４１】
ステップＳ１０５において、Ｓ-ＧＷは、ｖＰＣＲＦに対して、Ｄｉａｍｅｔｅｒ用制御信号として、上述のＡＰＮを含む移動局ＵＥの接続要求を送信する。
【００４２】
ステップＳ１０６において、ｖＰＣＲＦは、ＤＮＳ＃１に対して、ｈＰＣＲＦのアドレス解決要求としてのＤＮＳ要求を送信する。
【００４３】
ここで、ＤＮＳ＃１は、かかるｈＰＣＲＦが特定のネットワーク（図１の例では、ＨＰＬＭＮ）内のｈＰＣＲＦであるか否かについて判定する。
【００４４】
ＤＮＳ＃１は、かかるｈＰＣＲＦが特定のネットワーク内のｈＰＣＲＦであると判定した場合、ｖＰＣＲＦに対して、ＩＷＦのｈＰＣＲＦ機能１２のアドレスを含むＤＮＳ応答を送信する。
【００４５】
また、ｖＰＣＲＦは、ＡＰＮ等の接続先情報に対応するＩＷＦのｈＰＣＲＦ機能１２のアドレスを予め保持していてもよい。この場合は、上述のステップＳ１０６が発生しないか、或いは、上述のステップ１０６が発生した場合としても、ｖＰＣＲＦは、ＤＮＳ＃１から取得したＩＷＦのｈＰＣＲＦ機能１２のアドレスを利用しない。
【００４６】
ステップＳ１０７において、ｖＰＣＲＦは、ＩＷＦのｈＰＣＲＦ機能１２に対して、Ｄｉａｍｅｔｅｒ用制御信号として、上述のＡＰＮを含む移動局ＵＥの接続要求を送信する。
【００４７】
ステップＳ１０８において、ＩＷＦのｈＰＣＲＦ機能１２は、移動局ＵＥの暫定ＱｏＳ情報を決定する。
【００４８】
例えば、ＩＷＦのｈＰＣＲＦ機能１２は、移動局ＵＥのホームネットワークであるＨＰＬＭＮから取得した移動局ＵＥのＱｏＳ情報を移動局ＵＥの暫定ＱｏＳ情報としてもよいし、ランダムに生成した移動局ＵＥのＱｏＳ情報を移動局ＵＥの暫定ＱｏＳ情報としてもよい。
【００４９】
また、ＩＷＦのｈＰＣＲＦ機能１２は、移動局ＵＥの接続先（ＡＰＮ）及び移動局ＵＥに係る情報（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）の少なくとも１つに基づいて、移動局ＵＥの暫定ＱｏＳ情報を決定してもよい。
【００５０】
ステップＳ１０９において、ＩＷＦのｈＰＣＲＦ機能１２は、ＩＷＦの変換機能１３に対して、受信した移動局ＵＥの接続要求を含むプロトコル変換要求を送信し、ステップＳ１１０において、ＩＷＦの変換機能１３は、受信したＤｉａｍｅｔｅｒ用制御信号としての移動局ＵＥの接続要求を記憶する。
【００５１】
ステップＳ１１１において、ＩＷＦのｈＰＣＲＦ機能１２は、ｖＰＣＲＦに対して、Ｄｉａｍｅｔｅｒ用制御信号として、移動局ＵＥの暫定ＱｏＳ情報を含む接続応答を送信する。
【００５２】
ステップＳ１１２において、ｖＰＣＲＦは、Ｓ-ＧＷに対して、Ｄｉａｍｅｔｅｒ用制御信号として、移動局ＵＥの暫定ＱｏＳ情報を含む接続応答を送信する。
【００５３】
ステップＳ１１３において、Ｓ-ＧＷは、ＩＷＦのＰ-ＧＷ機能１１に対して、ＰＭＩＰ用制御信号として、上述のＡＰＮを含む移動局ＵＥの接続要求を送信する。
【００５４】
ステップＳ１１４において、ＩＷＦのＰ-ＧＷ機能１１は、ＩＷＦの変換機能１３に対して、ＰＭＩＰ用制御信号としての移動局ＵＥの接続要求を含むプロトコル変換要求を送信する。
【００５５】
ＩＷＦの変換機能１３は、ステップＳ１１５において、受信したプロトコル変換要求に含まれるＰＭＩＰ用制御信号としての移動局ＵＥの接続要求及びステップＳ１１０において受信したＤｉａｍｅｔｅｒ用制御信号としての移動局ＵＥの接続要求を対応させ、ステップＳ１１６において、これらの移動局ＵＥの接続要求に基づいて、ＧＴＰ-Ｃ信号としての移動局ＵＥの接続要求を生成する。
【００５６】
ステップＳ１１８ａにおいて、ＩＷＦの変換機能１３は、ＤＮＳ＃２に対して、上述のＡＰＮを含むＤＮＳ要求を送信することによって、ＤＮＳ＃２から、ｈＰＣＲＦのアドレス及びＰ-ＧＷのアドレスを取得する。
【００５７】
また、ＩＷＦの変換機能１３が、ｈＰＣＲＦのアドレス及びＰ-ＧＷのアドレスを保持するデータベース等を具備していてもよい。この場合は、ＩＷＦの変換機能１３は、ＤＮＳ＃２への問い合わせは行わないか、行ったとしても取得した情報を利用しない。
【００５８】
ステップＳ１１７において、ＩＷＦの変換機能１３は、ＩＷＦのＳ-ＧＷ機能１４に対して、生成したＧＴＰ-Ｃ信号としての移動局ＵＥの接続要求を送信する。
【００５９】
ステップＳ１１８ｂにおいて、ＩＷＦのＳ-ＧＷ機能１４は、ＤＮＳ＃２に対して、Ｐ-ＧＷのアドレス解決要求としてのＤＮＳ要求を送信することによって、Ｐ-ＧＷのアドレスを取得してもよい。
【００６０】
また、ＩＷＦのＳ-ＧＷ機能１４が、ｈＰＣＲＦのアドレス及びＰ-ＧＷのアドレスを保持するデータベース等を具備していてもよい。この場合は、ＩＷＦのＳ-ＧＷ機能１４は、ＤＮＳ＃２への問い合わせは行わないか、行ったとしても取得した情報を利用しない。
【００６１】
ステップＳ１１９ａにおいて、ＩＷＦのＳ-ＧＷ機能１４は、Ｐ-ＧＷに対して、ＧＴＰ-Ｃ信号として、ステップＳ１０８で取得したものと同じ暫定ＱｏＳ情報を含む移動局ＵＥの接続要求を送信する。
【００６２】
ステップＳ１１９ｂにおいて、Ｐ-ＧＷは、ＤＮＳ＃２に対して、上述のＡＰＮを含むＤＮＳ要求を送信することによって、ＤＮＳ＃２から、ｈＰＣＲＦのアドレスを取得する。Ｐ-ＧＷは、ｈＰＣＲＦのアドレスを保持していてもよい。その場合、ステップＳ１１９ｂは行われない。
【００６３】
ステップＳ１２０において、Ｐ-ＧＷは、ｈＰＣＲＦに対して、Ｄｉａｍｅｔｅｒ用制御信号として、移動局ＵＥの接続要求を送信する。
【００６４】
ステップＳ１２１において、ｈＰＣＲＦは、受信した移動局ＵＥの接続要求に応じて、移動局ＵＥの正式ＱｏＳ情報を抽出し、Ｐ-ＧＷに対して、移動局ＵＥの正式ＱｏＳ情報を含む接続応答を、Ｄｉａｍｅｔｅｒ用制御信号として送信する。
【００６５】
ここで、Ｓ-ＧＷとＰ-ＧＷとの間において、上述の移動局ＵＥの正式ＱｏＳ情報に対応する下りトンネルの設定が完了する。Ｐ-ＧＷから移動局ＵＥ方向にデータが送信される場合、かかるデータは、ＩＷＦを経由し、ＩＷＦにおいてＧＴＰ用信号へと変換され、ＩＷＦからＳ-ＧＷへと転送される。
【００６６】
ステップＳ１２２において、Ｐ-ＧＷは、ＩＷＦのＳ-ＧＷ機能１４に対して、ＧＴＰ-Ｃ信号として、移動局ＵＥの正式ＱｏＳ情報を含む接続応答を送信する。
【００６７】
ステップＳ１２３において、ＩＷＦのＳ-ＧＷ機能１４は、ＩＷＦの変換機能１３又はｈＰＣＲＦ機能１２に対して、受信した接続応答を含むプロトコル変換要求を送信する。
【００６８】
ステップＳ１２４において、ＩＷＦの変換機能１３又はｈＰＣＲＦ機能１２は、受信したプロトコル変換要求に応じて、受信したＧＴＰ-Ｃ信号としての接続応答に基づいて、ＰＭＩＰ用制御信号としての接続応答を生成する。
【００６９】
ステップＳ１２５において、ＩＷＦの変換機能１３又はｈＰＣＲＦ機能１２は、生成したＰＭＩＰ用制御信号としての接続応答を、ＩＷＦのＰ-ＧＷ機能１１に送信する。
【００７０】
ステップＳ１２６において、ＩＷＦの変換機能１３又はｈＰＣＲＦ機能１２は、上述のプロトコル変換要求に含まれる移動局ＵＥの正式ＱｏＳ情報を含むＱｏＳ情報更新要求を生成する。
【００７１】
ここで、ＩＷＦの変換機能１３又はｈＰＣＲＦ機能１２は、ステップＳ１１０において記憶された暫定ＱｏＳ情報と、かかる正式ＱｏＳ情報とが異なる場合のみ、ＱｏＳ情報更新要求を生成してもよい。
【００７２】
ステップＳ１２７において、ＩＷＦのｈＰＣＲＦ機能１２は、ｖＰＣＲＦに対して、Ｄｉａｍｅｔｅｒ用制御信号として、かかるＱｏＳ情報更新要求を送信し、ステップＳ１２８において、ｖＰＣＲＦは、Ｓ-ＧＷに対して、Ｄｉａｍｅｔｅｒ用制御信号として、かかるＱｏＳ情報更新要求を送信する。
【００７３】
ステップＳ１２９において、Ｓ-ＧＷは、受信したＱｏＳ情報更新要求に応じて、記憶している暫定ＱｏＳ情報を正式ＱｏＳ情報に更新する。
【００７４】
ステップＳ１３０において、ＩＷＦのＰ-ＧＷ機能１１は、Ｓ-ＧＷに対して、ＰＭＩＰ用制御信号として、移動局ＵＥの正式ＱｏＳ情報を含まない接続応答を送信する。なお、本ステップＳ１３０は、上述のステップＳ１２７及びＳ１２８が発生する前に行われてもよい。
【００７５】
ここで、Ｓ-ＧＷとＰ-ＧＷとの間において、上述の移動局ＵＥの正式ＱｏＳ情報に対応する上りトンネルの設定が完了する。移動局ＵＥからＰ-ＧＷ方向にデータが送信される場合、かかるデータは、ＩＷＦを経由し、ＩＷＦにおいてＧＴＰ用信号からＰＭＩＰ用Ｕ-Ｐｌａｎｅ信号に変換され、ＩＷＦからＳ-ＧＷへと転送される。
【００７６】
ステップＳ１３１において、Ｓ-ＧＷは、ＭＭＥに対して、上述の移動局ＵＥの接続要求に対する接続応答を送信し、ＭＭＥは、移動局ＵＥに対して、かかる接続応答を送信することによって、移動局ＵＥの接続処理は完了し、移動局ＵＥによる通信が可能となる。
【００７７】
（本発明の第１の実施形態に係る移動通信システムの作用・効果）
本発明の第１の実施形態に係る移動通信システムによれば、ＭＭＥにおけるＳ-ＧＷ及びＰ-ＧＷを選択する機能やＶＰＬＭＮ内のＳ-ＧＷにおけるｖＰＣＲＦを選択する機能やＶＰＬＭＮ内のｖＰＣＲＦにおけるｈＰＣＲＦを選択する機能やＶＰＬＭＮにおけるＤＮＳ＃１やＨＰＬＭＮにおけるＤＮＳ＃２に対して改修することなく、ｖＰＬＭＮとｈＰＬＭＮとの間のローミングを実施することができる。
【００７８】
すなわち、本発明の第１の実施形態に係る移動通信システムによれば、ＭＭＥにおけるＳ-ＧＷ及びＰ-ＧＷを選択する機能やＶＰＬＭＮ内のＳ-ＧＷにおけるｖＰＣＲＦを選択する機能やＶＰＬＭＮ内のｖＰＣＲＦにおけるｈＰＣＲＦを選択する機能やＶＰＬＭＮにおけるＤＮＳ＃１やＨＰＬＭＮにおけるＤＮＳ＃２に対する改修に協力しないネットワーク事業者との間でもローミングを実施することができる。
【００７９】
以上に述べた本実施形態の特徴は、以下のように表現されていてもよい。
【００８０】
本実施形態の第１の特徴は、移動通信方法であって、ＱｏＳ情報（サービス品質情報）を送信することができないＰＭＩＰ（第１プロトコル）によってＩＷＦ（インターワーキング装置）に接続されているＳ-ＧＷ（第１ゲートウェイ装置）が、ＱｏＳ情報を送信することができるＤｉａｍｅｔｅｒ（第２プロトコル）によってＩＷＦ及びＳ-ＧＷに接続されているｖＰＣＲＦ（第１管理装置）に対して、Ｄｉａｍｅｔｅｒ用制御信号（第２プロトコル用制御信号）として移動局ＵＥの接続要求を送信する工程と、ｖＰＣＲＦが、ＩＷＦに対して、Ｄｉａｍｅｔｅｒ用制御信号として移動局ＵＥの接続要求を送信して通信経路を確立する工程と、ＩＷＦが、受信した移動局ＵＥの接続要求に応じて、移動局ＵＥの暫定ＱｏＳ情報（暫定サービス品質情報）を決定し、暫定ＱｏＳ情報を含む接続応答を、Ｄｉａｍｅｔｅｒ用制御信号としてｖＰＣＲＦに送信する工程と、ｖＰＣＲＦが、受信した暫定ＱｏＳを含む接続応答を、Ｄｉａｍｅｔｅｒ用制御信号としてＳ-ＧＷ装置に送信する工程と、Ｓ-ＧＷが、受信した接続応答に含まれる暫定ＱｏＳ情報を記憶し、暫定ＱｏＳ情報を含む移動局ＵＥの接続要求を、ＰＭＩＰ用制御信号（第１プロトコル用制御信号）としてＩＷＦに送信して通信経路を確立する工程と、ＩＷＦが、受信した接続要求に含まれる暫定ＱｏＳ情報を記憶し、ＱｏＳ情報を送信することができるＧＴＰ（第３プロトコル）によってＩＷＦに接続されているＰ-ＧＷ（第２ゲートウェイ装置）に対して、暫定ＱｏＳ情報を含む移動局ＵＥの接続要求を、ＧＴＰ-Ｃ信号（第３プロトコル用制御信号）として送信して通信経路を確立する工程と、Ｐ-ＧＷが、ＤｉａｍｅｔｅｒによってＰ-ＧＷに接続されているｈＰＣＲＦ（第２管理装置）に対して、暫定ＱｏＳ情報を含む移動局ＵＥの接続要求を、Ｄｉａｍｅｔｅｒ用制御信号として送信して通信経路を確立する工程と、ｈＰＣＲＦが、受信した移動局ＵＥの接続要求に応じて、移動局ＵＥの正式ＱｏＳ情報（正式サービス品質情報）を抽出し、正式ＱｏＳ情報を含む接続応答を、Ｄｉａｍｅｔｅｒ用制御信号としてＰ-ＧＷに送信する工程と、Ｐ-ＧＷが、正式ＱｏＳ情報を含む接続応答を、ＧＴＰ-Ｃ信号としてＩＷＦに送信する工程と、ＩＷＦが、ｖＰＣＲＦに対して、Ｄｉａｍｅｔｅｒ用制御信号として、正式ＱｏＳ情報を含む更新要求を送信し、Ｓ-ＧＷに対して、ＰＭＩＰ用制御信号として、正式ＱｏＳ情報を含まない接続応答を送信する工程と、ｖＰＣＲＦが、Ｓ-ＧＷ装置に対して、Ｄｉａｍｅｔｅｒ用制御信号として、正式ＱｏＳ情報を含む更新要求を送信する工程と、Ｓ-ＧＷが、受信した更新要求に応じて、記憶している暫定ＱｏＳ情報を正式ＱｏＳ情報に更新する工程とを有することを要旨とする。
【００８１】
本実施形態の第１の特徴において、ＭＭＥ（交換機）が、移動局ＵＥの接続要求を受信した場合に、ＤＮＳに対して、Ｐ-ＧＷのアドレス解決要求を送信する工程と、ＤＮＳが、Ｐ-ＧＷのアドレス解決要求に応じて、ＭＭＥに対して、ＩＷＦのアドレスを含むアドレス解決応答を送信する工程とを有してもよい。
【００８２】
本実施形態の第１の特徴において、ＭＭＥは、ＩＷＦのアドレスを直接保持し、ＤＮＳを介することなく、かかるＩＷＦのアドレスをＰ-ＧＷのアドレス解決に用いてもよい、すなわち、ＭＭＥは、かかるＩＷＦのアドレスを、Ｐ-ＧＷのアドレスと看做してもよい。
【００８３】
本実施形態の第１の特徴において、ＩＷＦは、記憶している暫定ＱｏＳ情報と、受信した接続応答に含まれる正式ＱｏＳ情報とが異なる場合のみ、ｖＰＣＲＦに対して、Ｄｉａｍｅｔｅｒ用制御信号として、正式ＱｏＳ情報を含む更新要求を送信してもよい。
【００８４】
本実施形態の第１の特徴において、ＩＷＦは、移動局ＵＥの接続先（ＡＰＮ）及び移動局ＵＥに係る情報の少なくとも１つに基づいて、暫定ＱｏＳ情報を決定してもよい。
【００８５】
本実施形態の第２の特徴は、移動通信システムであって、ＩＷＦと、ＰＭＩＰによってＩＷＦに接続されているＳ-ＧＷと、ＤｉａｍｅｔｅｒによってＩＷＦ及びＳ-ＧＷに接続されているｖＰＣＲＦと、ＧＴＰによってＩＷＦに接続されているＰ-ＧＷと、ＤｉａｍｅｔｅｒによってＰ-ＧＷに接続されているｈＰＣＲＦとを具備しており、Ｓ-ＧＷは、ｖＰＣＲＦに対して、Ｄｉａｍｅｔｅｒ用制御信号として移動局ＵＥの接続要求を送信するように構成されており、ｖＰＣＲＦは、ＩＷＦに対して、Ｄｉａｍｅｔｅｒ用制御信号として移動局ＵＥの接続要求を送信するように構成されており、ＩＷＦは、受信した移動局ＵＥの接続要求に応じて、移動局ＵＥの暫定ＱｏＳ情報を決定し、暫定ＱｏＳ情報を含む接続応答を、Ｄｉａｍｅｔｅｒ用制御信号としてｖＰＣＲＦに送信するように構成されており、ｖＰＣＲＦは、受信した暫定ＱｏＳ情報を含む接続応答を、Ｄｉａｍｅｔｅｒ用制御信号としてＳ-ＧＷに送信するように構成されており、Ｓ-ＧＷは、受信した接続応答に含まれる暫定ＱｏＳ情報を記憶し、暫定ＱｏＳ情報を含む移動局ＵＥの接続要求を、ＰＭＩＰ用制御信号としてＩＷＦに送信するように構成されており、ＩＷＦは、受信した接続要求に含まれる暫定ＱｏＳ情報を記憶し、Ｐ-ＧＷに対して、暫定ＱｏＳ情報を含む移動局ＵＥの接続要求を、ＧＴＰ-Ｃ信号として送信するように構成されており、Ｐ-ＧＷは、ｈＰＣＲＦに対して、暫定ＱｏＳ情報を含む移動局ＵＥの接続要求を、Ｄｉａｍｅｔｅｒ用制御信号として送信するように構成されており、ｈＰＣＲＦは、受信した移動局ＵＥの接続要求に応じて、移動局ＵＥの正式ＱｏＳ情報を抽出し、正式ＱｏＳ情報を含む接続応答を、Ｄｉａｍｅｔｅｒ用制御信号としてＰ-ＧＷに送信するように構成されており、Ｐ-ＧＷは、正式ＱｏＳ情報を含む接続応答を、ＧＴＰ-Ｃ信号としてＩＷＦに送信するように構成されており、ＩＷＦは、ｖＰＣＲＦに対して、Ｄｉａｍｅｔｅｒ用制御信号として、正式ＱｏＳ情報を含む更新要求を送信し、Ｓ-ＧＷに対して、ＰＭＩＰ用制御信号として、正式ＱｏＳ情報を含まない接続応答を送信するように構成されており、ｖＰＣＲＦは、Ｓ-ＧＷに対して、Ｄｉａｍｅｔｅｒ用制御信号として、正式ＱｏＳ情報を含む更新要求を送信するように構成されており、Ｓ-ＧＷは、受信した更新要求に応じて、記憶している暫定ＱｏＳ情報を正式ＱｏＳ情報に更新するように構成されていることを要旨とする。
【００８６】
本実施形態の第２の特徴において、ＭＭＥと、ＤＮＳとを更に具備しており、ＭＭＥは、移動局ＵＥの接続要求を受信した場合に、ＤＮＳに対して、Ｐ-ＧＷのアドレス解決要求を送信するように構成されており、ＤＮＳは、Ｐ-ＧＷのアドレス解決要求に応じて、ＭＭＥに対して、ＩＷＦのアドレスを含むアドレス解決応答を送信するように構成されていてもよい。
【００８７】
或いは、ＭＭＥは、ＩＷＦのアドレスを直接保持し、ＤＮＳを介することなく、かかるＩＷＦのアドレスをＰ-ＧＷのアドレス解決に用いるように構成されていてもよい。
【００８８】
本実施形態の第２の特徴において、ＩＷＦは、記憶している暫定ＱｏＳ情報と、受信した接続応答に含まれる正式ＱｏＳ情報とが異なる場合のみ、ｖＰＣＲＦに対して、Ｄｉａｍｅｔｅｒ用制御信号として、正式ＱｏＳ情報を含む更新要求を送信するように構成されていてもよい。
【００８９】
本実施形態の第２の特徴において、ＩＷＦは、移動局ＵＥの接続先（ＡＰＮ）及び移動局ＵＥに係る情報の少なくとも１つに基づいて、暫定ＱｏＳ情報を決定するように構成されていてもよい。
【００９０】
本実施形態の第３の特徴は、インターワーキング装置であって、ＰＭＩＰによってＳ-ＧＷに接続されているＰ-ＧＷ機能１１（第２ゲートウェイ装置機能）と、ＤｉａｍｅｔｅｒによってｖＰＣＲＦに接続されているｈＰＣＲＦ機能１２（第２管理装置機能）と、ＧＴＰによってＰ-ＧＷに接続されているＳ-ＧＷ機能１４（第１ゲートウェイ装置機能）とを具備しており、ｈＰＣＲＦ機能１２は、ｖＰＣＲＦから受信した移動局ＵＥの接続要求に応じて、移動局ＵＥの暫定ＱｏＳ情報を決定し、暫定ＱｏＳ情報を含む接続応答を、Ｄｉａｍｅｔｅｒ用制御信号としてｖＰＣＲＦに送信するように構成されており、Ｓ-ＧＷ機能１４は、Ｐ-ＧＷに対して、暫定ＱｏＳ情報を含む移動局ＵＥの接続要求を、ＧＴＰ-Ｃ信号として送信するように構成されており、ｈＰＣＲＦ機能１２は、ｖＰＣＲＦに対して、Ｄｉａｍｅｔｅｒ用制御信号として、Ｐ-ＧＷから受信した接続応答に含まれている移動局ＵＥの正式ＱｏＳ情報を含む更新要求を送信するように構成されており、Ｐ-ＧＷ機能１１は、Ｓ-ＧＷに対して、ＰＭＩＰ用制御信号として、正式ＱｏＳ情報を含まない接続応答を送信するように構成されていることを要旨とする。
【００９１】
本実施形態の第３の特徴において、ｈＰＣＲＦ機能１２は、記憶されている暫定ＱｏＳ情報と、受信した接続応答に含まれる正式ＱｏＳ情報とが異なる場合のみ、ｖＰＣＲＦに対して、Ｄｉａｍｅｔｅｒ用制御信号として、正式ＱｏＳ情報を含む更新要求を送信するように構成されていてもよい。
【００９２】
本実施形態の第３の特徴において、ｈＰＣＲＦ機能１２は、移動局ＵＥの接続先（ＡＰＮ）及び移動局ＵＥに係る情報の少なくとも１つに基づいて、暫定ＱｏＳ情報を決定するように構成されていてもよい。
【００９３】
なお、上述のＩＷＦの動作は、ハードウェアによって実施されてもよいし、プロセッサによって実行されるソフトウェアモジュールによって実施されてもよいし、両者の組み合わせによって実施されてもよい。
【００９４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＩＷＦ内に設けられていてもよい。また、かかる記憶媒体及びプロセッサは、ディスクリートコンポーネントとしてＩＷＦ内に設けられていてもよい。
【００９６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９７】
１１…Ｐ-ＧＷ機能
１２…ｈＰＣＲＦ機能
１３…変換機能
１４…Ｓ-ＧＷ機能
【図１】
2011004255.tif 000003
【図２】
2011004255.tif 000004
【図３】
2011004255.tif 000005
【図４】
2011004255.tif 000006
【図５】
2011004255.tif 000007
【図６】
2011004255.tif 000008
【図７】
2011004255.tif 000009
【図８】
2011004255.tif 000010